(57)【要約】【課題】画像表示装置の背面に着脱自在に取付けられた画像表示カバーの背面に画像制御基板ユニットを配置すると共に、画像制御基板ユニットを包囲する基板カバーを画像表示カバーに固定して封印した場合に、封印部を破壊して画像表示カバーを取り外すことなく、画像表示装置を画像表示カバーから離脱させて交換等を行うことを可能とする。【解決手段】画像表示装置６１の背面に対して着脱自在に組み付けられる画像表示カバー６５と、画像表示カバーの背面に配置される画像制御基板６５と、該画像制御基板を間に置いて該画像表示カバー背面に固定される基板カバー７０と、画像表示カバーに対して基板カバーを固定する封印手段と、画像表示装置から延びコネクタ６２ａを有したフレキシブルケーブル６２と、画像制御基板に設けられて基板カバーに設けた開口部から露出されてコネクタと着脱される基板側コネクタ１０２と、を備えた。【選択図】図９
2014079504.tif 000002
【特許請求の範囲】
【請求項１】
画像表示装置の背面に対して着脱自在に組み付けられる画像表示カバーと、該画像表示カバーの背面に配置される画像制御基板と、該画像制御基板を間に置いて該画像表示カバー背面に固定される基板カバーと、前記画像表示カバーに対して前記基板カバーを固定する封印手段と、前記画像表示装置から延びて前記画像表示カバーの後方へ引き出され、コネクタを有したフレキシブルケーブルと、前記画像制御基板に設けられて前記基板カバーに設けた開口部から露出されて前記コネクタと着脱される基板側コネクタと、を備えたことを特徴とする画像表示装置ユニット。
【請求項２】
前記基板側コネクタに対して前記コネクタが接続された際に、該コネクタ、及び前記フレキシブルケーブルの少なくとも一部を覆う遮蔽部材を、前記基板カバーの前記開口部の後方に突設し、
前記遮蔽部材は、前記基板側コネクタに接続された前記コネクタの着脱操作を妨げない構成を備えていることを特徴とする請求項１に記載の画像表示装置ユニット。
【請求項３】
前記遮蔽部材は、後方から前記コネクタ、及びフレキシブルケーブルを視認することを可能とするスリットを備えていることを特徴とする請求項２に記載の画像表示装置ユニット。
【発明の詳細な説明】
【技術分野】
【０００１】
本発明は画像表示装置を備えた遊技機に装備される画像表示装置ユニットの改良に関し、特に画像表示装置背面に組み付けられた画像表示カバーの背面に、画像制御基板、基板カバーを順次組み付けて封印した場合に、封印を解除せずに画像表示装置だけを画像制御基板から分離することができるようにした画像表示装置ユニットに関する。
【背景技術】
【０００２】
パチンコ遊技機、スロットマシン等の各種遊技機においては、遊技盤面に設けた液晶表示装置等の画像表示装置に遊技内容と関わりのある絵柄、文字、符号等の種々の画像を表示して、遊技状況を表示したり、演出効果を発揮させるようにしている。
図１３は従来の画像表示装置ユニットの背面側斜視図であり、図１４はその分解斜視図である。画像表示装置（液晶表示装置）５０２は、図示しない遊技盤の背面に配置される液晶ベース枠５００の背面に前面を当接した状態で固定され、画像表示装置５０２の背面には画像表示カバー５０４が添設される。更に画像表示カバー５０４の背面には液晶画面に表示される画像制御用の画像制御基板ユニット５０６と、画像制御基板ユニット５０６を包囲する基板カバー５１０とが順次組み付けられる。画像表示カバー５０４の背面下部には主制御基板を収容した主基板カバー５１５が取り付けられる（特許文献１）。
画像表示カバー５０４の背面にはヒンジ片５０４ａが設けられ、ヒンジ片５０４ａを基板カバー５１０の下縁に設けたヒンジ片５１０ａと係合させることによって、画像表示カバーに対して基板カバーの下部を軸支して上下方向へ回動自在にしている。また、基板カバーの上縁に設けたカシメ片５１０ｂを画像表示カバーの上縁に設けたカシメ片５０４ｂに係合させて図示しないカシメピンにより固着することにより、画像表示カバー５０４と基板カバー５１０とを封印している。このため、封印手段を破壊しない限り内部の画像制御基板ユニット５０６に接することができず、第三者による不正行為を防止することができる。
【０００３】
ところで、画像表示装置５０２と画像制御基板ユニット５０６との電気的接続は、画像表示装置の背面から延びるフレキシブルケーブル５０３の先端に設けたコネクタ５０３ａを、画像表示カバー５０４に設けた穴５０４ｃから背面側に引き出して画像制御基板ユニット５０６側に設けたコネクタ５０６ａと接続することにより実現している。フレキシブルケーブル５０３、及びコネクタ５０３ａとコネクタ５０６ａとの接続部は、画像表示カバー５０４と基板カバー５１０との間の空間内に収容されており、封印を解除しない限り、コネクタ同士を着脱したり、接続状態を確認したり、修正することはできない。
従って、例えば画像表示装置に不調があるためにこれを画像制御基板ユニット５０６から分離して交換したい場合や、カバーの外部からの観察等によりコネクタ同士が接続不良状態にあることが判明した場合には、封印部５０４ｂ、５１０ｂを破壊して画像表示カバー５０４を基板カバー５１０から分離し、コネクタ５０３ａをコネクタ５０６ａから離脱させてから画像表示装置５０２を画像制御基板ユニットから取り外したり、接続状態を修正するという煩雑な作業を行う必要があった。
【先行技術文献】
【特許文献】
【０００４】
【特許文献１】特願２０１２−１０５１６８
【発明の概要】
【発明が解決しようとする課題】
【０００５】
このように従来の画像表示装置ユニットにあっては、画像表示装置と画像表示カバーとはネジ止め固定されているために着脱可能ではあるものの、画像表示装置と画像制御基板ユニットとの接続部が基板カバー内に配置されていたため、基板カバーの封印部を破壊しない限り前記接続部を解除して画像表示装置を交換することができなかった。
本発明は上記に鑑みてなされたものであり、画像表示装置の背面に着脱自在に取付けられた画像表示カバーの背面に画像制御基板ユニットを配置すると共に、画像制御基板ユニットを包囲する基板カバーを画像表示カバーに固定して封印した場合に、封印部を破壊して画像表示カバーを取り外すことなく、画像表示装置を画像表示カバーから離脱させて交換等を行うことを可能とした画像表示ユニットを提供するものである。
【課題を解決するための手段】
【０００６】
上記目的を達成するため、請求項１の発明に係る画像表示装置ユニットは、画像表示装置の背面に対して着脱自在に組み付けられる画像表示カバーと、該画像表示カバーの背面に配置される画像制御基板と、該画像制御基板を間に置いて該画像表示カバー背面に固定される基板カバーと、前記画像表示カバーに対して前記基板カバーを固定する封印手段と、前記画像表示装置から延びて前記画像表示カバーの後方へ引き出され、コネクタを有したフレキシブルケーブルと、前記画像制御基板に設けられて前記基板カバーに設けた開口部から露出されて前記コネクタと着脱される基板側コネクタと、を備えたことを特徴とする。
請求項２の発明では、前記基板側コネクタに対して前記コネクタが接続された際に、該コネクタ、及び前記フレキシブルケーブルの少なくとも一部を覆う遮蔽部材を、前記基板カバーの前記開口部の後方に突設し、前記遮蔽部材は、前記基板側コネクタに接続された前記コネクタの着脱操作を妨げない構成を備えていることを特徴とする。
請求項３の発明では、前記遮蔽部材は、後方から前記コネクタ、及びフレキシブルケーブルを視認することを可能とするスリットを備えていることを特徴とする。
【発明の効果】
【０００７】
本発明では、コネクタ接続部を基板カバーの外部に配置した。このため、画像表示カバーと基板カバーの封印を解除することなく、画像表示カバーから画像表示装置を単独で分離、交換したり、修理することができる。
【図面の簡単な説明】
【０００８】
【図１】本発明の実施形態に係る遊技機の一例としてのパチンコ遊技機の構成例を示した全体正面図である。
【図２】外枠に対して遊技盤ユニット、及びガラス枠を開閉自在に組み付けた状態を示す斜視図である。
【図３】ベース枠体の正面側斜視図である。
【図４】ベース枠体に対して画像表示ユニットを組み付ける手順を示す背面側斜視図である。
【図５】ベース枠体と、分解した画像表示ユニットとを示す背面側斜視図である。
【図６】画像表示ユニットから基板カバーを外した状態を示す背面側斜視図である。
【図７】画像表示装置から画像表示カバー及び基板カバーを分離した状態を示す背面側斜視図である。
【図８】図７において画像表示カバーから基板カバーを分離した状態を示す背面側斜視図である。
【図９】画像表示装置に対して画像表示カバー等を組み付けた状態を示す背面側斜視図である。
【図１０】コネクタ接続部の保護構造（コネクタ接続手順）を示す要部斜視図である。
【図１１】コネクタ接続部の保護構造（コネクタ接続状態）を示す要部斜視図である。
【図１２】コネクタ接続部が保護されている状態を示す斜視図である。
【図１３】従来の画像表示装置ユニットの背面側斜視図である。
【図１４】図１３の分解斜視図である。
【発明を実施するための形態】
【０００９】
以下、本発明を図面に示した実施の形態により詳細に説明する。
図１は本発明の実施形態に係る遊技機の一例としてのパチンコ遊技機の構成例を示した全体正面図である。
図１において、遊技機１は、遊技店の島設備に取り付けられる外枠３００と、外枠３００により一方の縦辺を回動可能に支持されたガラス枠３１０と、を備えている。外枠３００には遊技球が流下する遊技領域３が形成された遊技盤２が設けられている。ガラス枠３１０は、遊技盤２の前方（遊技者側）において遊技領域３を視認可能に覆うガラス板（図示しない）を支持している。
【００１０】
また、ガラス枠３１０には、回動操作されることにより遊技領域３に向けて遊技球を発射させる操作ハンドル３１１と、音声出力装置（スピーカ）３１２と、複数のランプを有する上下の演出用照明装置３１３ａ、３１３ｂと、押圧操作により演出態様を変更させるための演出ボタン３１４と、左右の演出用可動照明装置３２０Ｌ、３２０Ｒが設けられている。
ガラス枠３１０の下側には、受皿ユニット３１５が設けられている。受皿ユニット３１５には、複数の遊技球を貯留する球皿部が設けられており、この球皿部は、操作ハンドル３１１の方向側に遊技球が流下するように下りの傾斜を有している。そして、遊技者が操作ハンドル３１１を回動させると、遊技球が遊技領域３に発射されることとなる。
上記のようにして発射された遊技球がレール５ａ、５ｂ間を上昇して玉戻り防止片５ｃを超えると、遊技領域３に到達し、その後遊技領域３内を落下する。このとき、遊技領域３に設けられた複数の釘や風車によって、遊技球は予測不能に落下することとなる。
【００１１】
次に、遊技盤２の遊技領域３の構成について説明する。
遊技領域３には、複数の一般入賞口１８が設けられている。これら各一般入賞口１８に遊技球が入賞すると、所定の賞球（例えば１０個の遊技球）が払い出される。
また、遊技領域３の中央下側の領域には、遊技球が入球可能な始動領域を構成する第１始動口１３および第２始動口１４が設けられている。
この第２始動口１４は、開閉扉１４ｂを有しており、開閉扉１４ｂが閉状態に維持される第１の態様と、開閉扉１４ｂが開状態となる第２の態様とに可動制御される。従って、第２始動口１４は、第１の態様にあるときには遊技球の入賞機会がなく、第２の態様にあるときには遊技球の入賞機会が増すこととなる。
【００１２】
ここで、第１始動口１３または第２始動口１４に遊技球が入球すると、特別図柄判定用乱数値等を取得し、大当たり遊技を実行する権利獲得の抽選（以下、「大当たり抽選」という）が行われる。また、第１始動口１３または第２始動口１４に遊技球が入球した場合には、所定の賞球（例えば３個の遊技球）が払い出される。
さらに、遊技領域３の右側の領域には、遊技球が通過可能な普通図柄用のゲート１５と、遊技球が入球可能な第１大入賞口１６及び第２大入賞口１７とが設けられている。
このため、操作ハンドル３１１を大きく回動させ、強い力で打ち出された遊技球でないと、ゲート１５と第１大入賞口１６及び第２大入賞口１７とには遊技球が、通過または入賞しないように構成されている。
【００１３】
ゲート１５において遊技球の通過を検出すると、普通図柄判定用乱数値を取得し、「普通図柄の当たり抽選」が行われる。
第１大入賞口１６は、通常は第１大入賞口開閉扉１６ｂによって閉状態に維持されており、遊技球の入球を不可能としている。これに対して、所定の特別遊技が開始されると、第１大入賞口開閉扉１６ｂが開放されるとともに、この第１大入賞口開閉扉１６ｂが遊技球を第１大入賞口１６内に導く受け皿として機能し、遊技球が第１大入賞口１６に入球可能となる。第１大入賞口１６に遊技球が入球すると予め設定された賞球（例えば１５個の遊技球）が払い出される。
第２大入賞口１７は、通常は第２大入賞口可動片１７ｂによって閉状態に維持されており、遊技球の入球を不可能としている。これに対して、所定の特別遊技が開始されると、第２大入賞口可動片１７ｂが開放されるとともに、この第２大入賞口可動片１７ｂが遊技球を第２大入賞口１７内に導く誘導路として機能し、遊技球が第２大入賞口１７に入球可能となる。第２大入賞口１７に遊技球が入球した場合も予め設定された賞球（例えば１５個の遊技球）が払い出される。
さらには、遊技領域３の最下部の領域には、一般入賞口１８、第１始動口１３、第２始動口１４、第１大入賞口１６および第２大入賞口１７のいずれにも入球しなかった遊技球を排出するためのアウト口１９が設けられている。
【００１４】
また、遊技領域３の中央には開口部３Aが形成されており、開口部３Aの周縁に沿って遊技球の流下に影響を与える飾り部材６が設けられている。この飾り部材６の略中央部分（開放部）であって遊技盤の背面（後面）側には、液晶表示装置等からなる画像表示装置７が設けられている。この画像表示装置７の周縁には各種演出用可動装置Ａ〜Ｃが設けられている。
この画像表示装置７は、遊技が行われていない待機中に画像を表示したり、遊技の進行に応じた画像を表示したりする。なかでも、後述する大当たり抽選の結果を報知するための３個の演出図柄８が表示され、特定の演出図柄８の組合せ（例えば、７７７等）が停止表示されることにより、大当たり抽選結果として大当たりが報知される。
【００１５】
具体的には、第１始動口１３または第２始動口１４に遊技球が入球したときには、３個の演出図柄８をそれぞれスクロール表示するとともに、所定時間経過後に当該スクロールを停止させて、演出図柄８を停止表示するものである。また、この演出図柄８の変動表示中に、さまざまな画像やキャラクター等を表示することによって、大当たりに当選するかもしれないという高い期待感を遊技者に与えるようにもしている。
各演出用可動装置Ａ〜Ｃは、その動作態様によって遊技者に期待感を与えるものである。各演出用可動装置は、例えば画像表示装置の表示画面の周縁に退避した位置から中央寄りに突出した位置に移動したり、変形する等の各種動作を行う。これら演出用可動装置の動作態様によって、遊技者にさまざまな期待感を与えるようにしている。
さらに、上記の各種の演出装置に加えて、音声出力装置３１２は、ＢＧＭ（バックグランドミュージック）、ＳＥ（サウンドエフェクト）等を出力し、サウンドによる演出を行い、演出用照明装置３１３ａ、３１３ｂは、各ランプの光の照射方向や発光色を変更して、照明による演出を行うようにしている。
【００１６】
遊技盤２の左下方には、各種図柄を表示するための図柄表示装置９が設けられている。
受皿ユニット３１５の上面には、一般的にチャンスボタンと呼ばれる演出ボタン３１４が配置されている。演出ボタン３１４の操作は、例えば遊技中における特定のリーチ演出に際し、演出ボタン３１４の操作を促すガイダンスが画像表示装置７に表示されている間有効となる。
【００１７】
次に、図２は外枠に対して遊技盤ユニット、及びガラス枠を開閉自在に組み付けた状態を示す斜視図であり、図３はベース枠体の正面側斜視図であり、図４はベース枠体に対して画像表示ユニットを組み付ける手順を示す背面側斜視図であり、図５はベース枠体と、分解した画像表示ユニットとを示す背面側斜視図であり、図６は画像表示ユニットから基板カバーを外した状態を示す背面側斜視図であり、図７は画像表示装置から画像表示カバー及び基板カバーを分離した状態を示す背面側斜視図であり、図８は図７において画像表示カバーから基板カバーを分離した状態を示す背面側斜視図であり、図９は画像表示装置に対して画像表示カバー等を組み付けた状態を示す背面側斜視図であり、図１０はコネクタ接続部の保護構造（コネクタ接続手順）を示す要部斜視図であり、図１１はコネクタ接続部の保護構造（コネクタ接続状態）を示す要部斜視図であり、図１２はコネクタ接続部が保護されている状態を示す斜視図であり、図１３はコネクタ保護構造の変形実施形態の説明図である。
【００１８】
図２に示すように外枠３００には、遊技盤ユニットＵ、及びガラス枠３１０が開閉自在に組み付けられている。
遊技盤ユニットＵは、遊技盤２の背面に、ベース枠体３０、及び画像表示ユニット６０等を組み付けた構成を有している。
図２、図３等に示すように、遊技盤２の背面（後面）には、前後方向に貫通する開口部３０ａを有したベース枠体（液晶ベース枠）３０が組み付けられて、ベース枠体の背面側（後面側）には開口部３０ａを塞ぐように画像表示ユニット（画像表示装置６１、及び画像表示カバー６５）６０が組み付けられる。画像表示カバー（液晶カバー）６５の背面（後面）には、基板カバー７０が組み付けられ、基板カバー７０よりも下側の画像表示カバー６５の背面下部には主制御基板を収容した主基板ケース９０が取り付けられる。
【００１９】
本実施形態では、ベース枠体３０の背面側に設けた画像表示ユニット収納用のギャップ内に横方向から画像表示ユニット６０をスライドさせることにより装着するように構成されているが、これは一例に過ぎず、どのような構成にしろ、ベース枠体３０の背面に装着される画像表示ユニットには本発明を適用することができる。
【００２０】
ベース枠体３０の背面に固定された画像表示ユニット（液晶ユニット）６０の背面側には、背面側（後面側）から見たときに画像表示ユニット背面の少なくとも一部と重なるように、演出制御基板５１，５２が離間して配置されている。つまり、画像表示ユニットと各演出制御基板５１，５２は共にベース枠体３０に配置されているが、画像表示ユニットは各演出制御基板よりも前方に位置しており、背面から見たときに画像表示ユニットと各演出制御基板とはオーバーラップした位置関係にある。また、画像表示ユニット６０は、演出制御基板の前方に設けた画像表示ユニット収納用のギャップ（収納空間）内に対して、ベース枠体の側方（右横方向）からスライド自在に装着できるように構成されている。つまり、画像表示ユニット６０は、ベース枠体に対してその前後方向以外の方向から収納空間内に着脱自在に構成されている。
画像表示装置６１の背面に添設された画像表示カバー６５の背面には、液晶制御用の画像制御基板ユニット１００と、この液晶制御用の画像制御基板ユニットに被さって包囲する基板カバー７０が順次組み付けられる。
【００２１】
図５等に示すように画像表示装置６１と画像表示カバー６５とは、四隅に設けた取付穴６１ａ、６５ａ同士を対応させた状態でネジにより着脱自在に固定することができる。
基板カバー７０は、その下辺に設けたヒンジ片７０ａを画像表示カバー６５の背面に設けたヒンジ片６５ｂに回動自在に係合させることによりヒンジ部６５ｂ、７０ａを中心として基板カバーを上下方向に回動させることができる。また、画像表示カバー６５の上辺に設けたカシメ穴６５ｃを基板カバー７０の上辺に設けたカシメ穴７０ｂと整合、連通させつつ図示しないカシメピンを各カシメ穴内に挿通固定することにより、画像表示カバー６５と基板カバー７０を固定し内部の画像制御基板ユニット１００を封印することができる。封印後は、封印部（カシメ穴６５ｃ、７０ｂ、及びカシメピン）を破壊しない限り、基板カバー７０を開放して画像制御基板ユニットを露出させることができない。
【００２２】
図８、図９に示すように、画像制御基板ユニット１００は、液晶制御用の画像制御基板（主基板、ＣＧメモリを搭載した副基板等）１０１を備えている。画像制御基板１０１（或いは、その関連部材）には画像表示装置６１から延びるフレキシブルケーブル６２の端部のコネクタ（画像表示装置側コネクタ）６２ａを着脱自在に接続するための基板側コネクタ１０２が設けられている。基板側コネクタ１０２は、基板カバー７０を被せた状態において、基板カバーの一部に設けた開口部７１から外部に露出した状態となっている。
【００２３】
図７、図８に示すように画像表示装置６１の背面には画像制御基板１０１と接続するためのフレキシブルケーブル６２が引き出されており、フレキシブルケーブル６２は画像表示カバー６５に設けた挿通穴６６から後方へ引き出される。図６、図７、図８などに示すように、挿通穴６６は基板カバーの開口部７１内に位置しており、挿通穴６６から引き出されたフレキシブルケーブル先端のコネクタ６２ａを基板カバーの外部において基板側コネクタ１０２と接続させたり、離脱させる操作を行うことができる。つまり、コネクタ同士の接続が基板カバー内部ではなく、外部に露出配置されている。このため、従来のように画像表示カバー６５と基板カバー７０との封印を解除して基板カバーを画像表示カバーから取り外してコネクタ接続部を露出させるといった煩雑な手数を経ることなく、コネクタ同士の着脱を行うことができる。
また、画像表示装置６１に不具合があるために画像表示装置を交換する際には、コネクタ６２ａを基板側コネクタ１０２と接続解除しさえすれば、画像表示装置６１と画像表示カバー６５とを固定するネジを取り外すことにより、画像表示カバーから画像表示装置を完全に分離することができる。
【００２４】
次に、本発明では、図６乃至図１２に示すように、基板側コネクタ１０２に対して画像表示装置側のコネクタ６２ａが接続された際に、コネクタ６２ａ、及びフレキシブルケーブル６２の少なくとも一部を覆う遮蔽部材７５を、基板カバーの開口部７１の後方に突設した構成が特徴的である。遮蔽部材７５は板状であり、これを横方向（画像表示カバー６５の背面と並行な方向）へ突出させることにより、挿通穴６６を含めた画像表示カバーの背面との間に着脱操作用のスペースを確保しつつ、フレキシブルケーブル、及びコネクタ接続部に作業者の手などが触れることを防止している。
コネクタ６２ａは極めて脆弱な構造を有するため、基板側コネクタ１０２と接続された状態において、外力が加わると極めて容易に破損する。遊技機の組立工程において、フレキシブルケーブル６２やコネクタ６２ａに作業者の手や工具が触れることも度々あるため、コネクタ６２ａ及びフレキシブルケーブルを露出させた状態で放置することのデメリットが大きい。
【００２５】
そこで本発明では、コネクタ同士の接続部の後方に張り出すように基板カバー７０から庇状の遮蔽部材７５を配置した。
即ち、遮蔽部材７５は、コネクタ６２ａを基板側コネクタ１０２に接続した状態にあるフレキシブルケーブル６２を後方から視認した時に、遮蔽部材７５がコネクタ、又はフレキシブルケーブルの少なくとも一部を隠蔽するように、コネクタ接続部の後方に庇状に突出している。このため、遮蔽部材７５が障害となって作業者の手がコネクタ、フレキシブルケーブルに直接触れることができなくなる。
【００２６】
ただ、遮蔽部材７５が存在することによってコネクタの着脱操作が阻害されることは避ける必要があるため、遮蔽部材７５は、基板側コネクタ１０２に接続されたコネクタ６２ａの着脱操作を妨げない構成を備えている。即ち、遮蔽部材７５とコネクタ１０２，６２ａとの間の距離を人の指による操作がし易いように設定すると共に、遮蔽部材の幅Ｗ１がコネクタの幅Ｗ２を大幅に越えることがないように設定する（図１０）。このため、図１２に示したように作業者の指が誤ってコネクタやフレキシブルケーブルに触れようとしても遮蔽部材７５が障害となって触れることはできず、保護することができる。また、図１０に示すようにコネクタを着脱する際には、横方向からの操作、或いは遮蔽部材７５の後方から遮蔽部材を乗り越えての操作によりコネクタを掴むこと可能となるため、着脱が容易である。
【００２７】
更に、遮蔽部材７５が障害となってコネクタ同士の接続状態を視認することができなくなることを防止するために、遮蔽部材には、後方から各コネクタ、及びフレキシブルケーブルを視認することを可能とするスリット（目視確認部）７６を設けている。スリットの形状、サイズ、位置は、図示したものに限定される訳ではなく、どのように構成してもよい。また、目視確認部はスリットでなく、それ以外の開口、切欠き、透明部等々であってもよい。従って、遮蔽部材は誤操作を防止するだけでなく、コネクタの半差し等の接続不良を容易に目視確認するのにも適している。
【００２８】
このように本発明では、基板カバー内に収容されていたために基板カバーの封印を解除しない限り、接続部の確認や、接続部を着脱操作することができなかったという従来の問題を解決するために、コネクタ接続部を基板カバーの外部に配置した。このため、画像表示カバーと基板カバーの封印を解除することなく、画像表示カバーから画像表示装置を単独で分離、交換したり、修理することができる。
この際、単純にコネクタ接続部を露出させるだけでは、遊技機の組立工程においてコネクタ接続部がダメージを受けることがあるため、作業者がコネクタ接続部に触れることを防止する障害物としての遮蔽部材７５をコネクタ接続の後方に張り出した。また、単純に遮蔽部材を張り出しただけでは、コネクタ着脱操作が困難となるため、遮蔽部材と基板カバー背面との間に十分な操作用のスペースを設けると共に、遮蔽部材の幅を基板側コネクタの幅よりも小さくすることにより操作を容易化した。更に、遮蔽部材の存在によってコネクタ接続部の接続状態を目視確認できなくなるといった懸念を解消するために遮蔽部材にスリット、開口、切欠き等の目視確認部を設けた。
本発明は、パチンコ遊技機のみならず、スロットマシン、その他、画像表示装置を有した遊技機、ゲーム機一般に適用することができる。
【符号の説明】
【００２９】
１…遊技機、１３…始動口、１４…始動口、１４ｂ…開閉扉、１５…ゲート、１６…大入賞口、１６ｂ…大入賞口開閉扉、１７…大入賞口、１７ｂ…大入賞口可動片、１８…一般入賞口、１９…アウト口、３０…ベース枠体、３０ａ…開口部、５１、５２…演出制御基板、６０…画像表示ユニット、６１…画像表示装置、６１ａ…取付穴、６２…フレキシブルケーブル、６２ａ…コネクタ、６５…画像表示カバー、６５ｂ…ヒンジ片、６５ｃ…カシメ穴、６６…挿通穴、７０…基板カバー、７０ａ…ヒンジ片、７０ｂ…カシメ穴、７１…開口部、７５…遮蔽部材、９０…主基板ケース、１００…画像制御基板ユニット、１０１…画像制御基板、１０２…基板側コネクタ、１０２、６２ａ…コネクタ、３００…外枠、３１０…ガラス枠、３１１…操作ハンドル、３１２…音声出力装置、３１３ａ…演出用照明装置、３１４…演出ボタン、３１５…受皿ユニット、３２０Ｌ…演出用可動照明装置、５００…液晶ベース枠、５０２…画像表示装置、５０３…フレキシブルケーブル、５０３ａ…コネクタ、５０４…画像表示カバー、５０４ａ…ヒンジ片、５０４ｂ…カシメ片、５０４ｂ…封印部、５０４ｃ…穴、５０６…画像制御基板ユニット、５０６ａ…コネクタ、５１０…基板カバー、５１０ａ…ヒンジ片、５１０ｂ…カシメ片、５１５…主基板カバー
【図１】
2014079504.tif 000003
【図２】
2014079504.tif 000004
【図３】
2014079504.tif 000005
【図４】
2014079504.tif 000006
【図５】
2014079504.tif 000007
【図６】
2014079504.tif 000008
【図７】
2014079504.tif 000009
【図８】
2014079504.tif 000010
【図９】
2014079504.tif 000011
【図１０】
2014079504.tif 000012
【図１１】
2014079504.tif 000013
【図１２】
2014079504.tif 000014
【図１３】
2014079504.tif 000015
【図１４】
2014079504.tif 000016